(57)【要約】【課題】入賞装置内でのパチンコ玉の振る舞いを楽しむことができるパチンコ遊戯装置を提供すること。【解決手段】パチンコ遊戯装置１は、入賞装置１０、始動入賞口１１等の盤面構成部品を遊戯盤２の表面に装着してなる。この入賞装置１０は、複数種の通路を形成できる通路形成部品１３である昇降動可能な立体１３ａ，１３ｂ，１３ｃと、これら通路形成部品１３である立体１３ａ，１３ｂ，１３ｃを所定の通路形パターン信号で駆動制御する駆動手段１４ａ，１４ｂ，１４ｃとを備えている。そして、通路形成パターン信号により、駆動手段１４ａ，１４ｂ，１４ｃが駆動されることにより、通路形成部品１３である立体１３ａ，１３ｂ，１３ｃを上昇、下降させて複数種の通路１２ａ〜１２ｆの一つを形成している。このような入賞装置１０によって、パチンコ玉が始動入賞口１１に導かれるが否かが明確に分かり、入賞装置内でのパチンコ玉の振る舞いに興味がわくことになる。【選択図】図３
2008284406.tif 000002
【特許請求の範囲】
【請求項１】
通過ゲート、始動入賞口、一般入賞口及び入賞装置等の盤面構成部品を遊戯盤の表面に装着してなるパチンコ遊戯装置において、
前記入賞装置は、複数種の通路を形成できる通路形成部品と、これら通路形成部品を所定の通路形パターン信号で駆動制御する駆動手段とを備えた
ことを特徴とするパチンコ遊戯装置。
【請求項２】
前記通路形成部品は、複数種の所定の形状をした立体を昇降動自在に配設し、これら立体の昇降動を所定の通路形成パターン信号で昇降動させることにより複数種の通路を形成できるようにした
ことを特徴とする請求項１記載のパチンコ遊戯装置。
【請求項３】
前記通路形成部品は、複数種の所定の形状に組み合わせた釘列を昇降動自在に配設し、これら釘列の昇降動を所定の通路形成パターン信号で昇降動させることにより複数種の通路を形成できるようにした
ことを特徴とする請求項１記載のパチンコ遊戯装置。
【請求項４】
通過ゲート、始動入賞口、大入賞口、一般入賞口及び入賞装置等の盤面構成部品を遊戯盤の表面に装着してなるパチンコ遊戯装置において、
前記入賞装置は、受入れたパチンコ玉を抽選して当選したパチンコ玉のみを下流に導く第１の抽選手段と、第１の抽選手段で当選したパチンコ玉をさらに抽選して当選したパチンコ玉を始動入賞口に導く第２の抽選手段とを備えた
ことを特徴とするパチンコ遊戯装置。
【請求項５】
前記第１の抽選手段は、受入口からつづら折り状に形成したスロープと、前記スロープの折り曲がり部分の一方に設けたゲートとからなり、前記ゲートで跳ね返ったパチンコ玉を当選パチンコ玉とする構成とし、
第２の抽選手段は、複数の穴を設けたクルーンからなり、前記第１の抽選手段から導かれたパチンコ玉をクルーン上に受入れて前記複数の穴のうちの所定の穴に落下したパチンコ玉のみを当選パチンコ玉として始動入賞口に導く構成とした
ことを特徴とする請求項４記載のパチンコ遊戯装置。
【請求項６】
通過ゲート、始動入賞口、大入賞口、一般入賞口及び入賞装置等の盤面構成部品を遊戯盤の表面に装着してなるパチンコ遊戯装置において、
前記入賞装置は、パチンコ玉受入口から落下したパチンコ玉を所定の方向に反発させる反発手段と、前記反発手段から所定の高さ位置に配置された受体と、前記反発手段の周囲に配置された邪魔体とを備え、前記受体に入った反発パチンコ玉を始動入賞口に導くとともに、前記受体に入らなかった反発パチンコ玉を邪魔体間を通して盤面上に導くように構成した
ことを特徴とするパチンコ遊戯装置。
【請求項７】
前記受体はバスケットゲームのバスケットに疑似させてなり、かつ、邪魔体はバスケットゲームの選手に疑似させてなる
ことを特徴とする請求項６記載のパチンコ遊戯装置。
【請求項８】
通過ゲート、始動入賞口、大入賞口、一般入賞口及び入賞装置等の盤面構成部品を遊戯盤の表面に装着してなるパチンコ遊戯装置において、
前記入賞装置は、所定の位置に配置した穴を設けた板体を傾斜させて配置し、前記板体の下部に前記板体の穴に落下したパチンコ玉を始動入賞口に導く構造体を上記板体と同様に傾斜させて配置してなり、受入口から受け入れたパチンコ玉を前記板体上に導くように構成した
ことを特徴とするパチンコ遊戯装置。
【請求項９】
前記入賞装置は、前記板体の穴に落下しなかったパチンコ玉もパチンコ玉の速度条件によって入賞口に導く通路を設けた
ことを特徴とする請求項８記載のパチンコ遊戯装置。
【請求項１０】
通過ゲート、始動入賞口、大入賞口、一般入賞口及び入賞装置等の盤面構成部品を遊戯盤の表面に装着してなるパチンコ遊戯装置において、
前記入賞装置は、所定の位置に配置された穴を有するクルーンと、前記穴に入ったパチンコ玉を検出するセンサーと、当該クルーンの下部に配置され、複数種の通路を形成できる通路形成部品と、これら通路形成部品を所定の通路形パターン信号で駆動制御する駆動手段と、前記センサーからの信号を基に前記穴に所定の配列でパチンコ玉が落下したときに所定の通路形成パターン信号を形成して前記駆動手段に与える制御手段とを備えた
ことを特徴とするパチンコ遊戯装置。
【請求項１１】
前記通路形成部品は、固定された固定釘列と、複数種の所定の形状に組み合わせて昇降動自在に配設してなる移動釘列とを備え、これら移動釘列を所定の通路形成パターン信号で昇降動させるとともに、固定釘列とを組み合わせることにより複数種の通路を形成できるようにした
ことを特徴とする請求項１０記載のパチンコ遊戯装置。
【請求項１２】
前記制御手段は、前記センサーからの信号を基に前記穴に所定の配列でかつ所定の時間内にパチンコ玉が落下したと判定したときに、パチンコ玉を始動入賞口に導くような通路形成パターン信号を作成し、この信号を前記駆動手段に与えるようにした
ことを特徴とする請求項１０記載のパチンコ遊戯装置。
【請求項１３】
前記入賞装置は、前記遊戯盤の中央部に配置してなる
ことを特徴とする請求項１、４、６、８または１０記載のパチンコ遊戯装置。
【発明の詳細な説明】
【技術分野】
【０００１】
本発明は、本発明はパチンコ遊戯機に係り、特に受け入れたパチンコ玉の流れに大きな変化を与え、そのパチンコ玉の入賞装置内での振る舞いに面白みのある変化を与えたパチンコ遊戯装置に関する。
【背景技術】
【０００２】
この種のパチンコ遊戯装置は、通過ゲート、始動入賞口、大入賞口、一般入賞口及び入賞装置等の盤面構成部品を遊戯盤の表面に装着してなるものとして知られている。
【０００３】
このようなパチンコ遊戯装置では、パチンコ球が当該入賞装置の玉受入口から入ったときに、その進入したときの各種の条件に応じて板体（クルーン）上を変動し、その変動結果によりパチンコ玉が始動入賞口に導かれたり、導かれなくなったりしている。
【０００４】
したがって、パチンコ遊戯装置で遊戯する遊戯者は、この入賞装置に入ったパチンコ玉の行方が予測できないという面白さは楽しむことができる。しかしながら、パチンコ玉は入賞装置内を単に転動するのみでパチンコ玉の動きは変化の乏しいものであった。
【発明の開示】
【発明が解決しようとする課題】
【０００５】
このように上述した従来の入賞装置は、玉受入口（ワープゾーン入口）から入ったパチンコ玉を板体（クルーン）上に導き、そのパチンコ玉の各種の条件、例えば打ち出された初速や、通過してきた通路の条件、ワープゾーン入口からの進入角度や速度等に応じてクルーン上を転動し、所定の条件を満足するパチンコ玉のみが始動入賞口に導かれるようにしていたため、遊戯者は入賞装置内でのパチンコ玉の振る舞いに興味を持たず、その結果、パチンコ遊戯装置全体として面白みが欠けるものとなっていた。
【０００６】
本発明は、上述した課題に鑑みて、入賞装置内でのパチンコ玉の振る舞いを楽しむことができるパチンコ遊戯装置を提供することを目的としている。
【課題を解決するための手段】
【０００７】
上記目的を達成するために、本発明は、通過ゲート、始動入賞口、一般入賞口及び入賞装置等の盤面構成部品を遊技盤の表面に装着してなるパチンコ遊戯装置において、前記入賞装置は、複数種の通路を形成できる通路形成部品と、これら通路形成部品を所定の通路形パターン信号で駆動制御する駆動手段とを備えたことを特徴とするものである。
【０００８】
したがって、この発明では、通路形成パターン信号により、通路形成部品が複数種の通路を形成するので、パチンコ玉が始動入賞口に導かれるが否かが明確に分かり、入賞装置内でのパチンコ玉の振る舞いに興味が湧くことになる。
【０００９】
本発明の他の形態は、前記通路形成部品が複数種の所定の形状をした立体を昇降動自在に配設し、これら立体の昇降動を所定の通路形成パターン信号で昇降動させることにより複数種の通路を形成できるようにしたことを特徴とするものである。立体が上昇したり下降したりして通路を形成するため、パチンコ玉の行方が明確となる。
【００１０】
さらに本発明の他の形態は、前記通路形成部品が複数種の所定の形状に組み合わせた釘列を昇降動自在に配設し、これら釘列の昇降動を所定の通路形成パターン信号で昇降動させることにより複数種の通路を形成できるようにしたことを特徴とする。釘列の変化で通路が形成されるため、パチンコ玉の行方がある程度明確となり、しかも、予測できないパチンコ玉の動きも提供できる。
【００１１】
上記目的を達成するために、さらに他の本発明は、通過ゲート、始動入賞口、大入賞口、一般入賞口及び入賞装置等の盤面構成部品を遊戯盤の表面に装着してなるパチンコ遊戯装置において、前記入賞装置は、受入れたパチンコ玉を抽選して当選したパチンコ玉のみを下流に導く第１の抽選手段と、第１の抽選手段で当選したパチンコ玉をさらに抽選して当選したパチンコ玉を始動入賞口に導く第２の抽選手段とを備えたことを特徴とするものである。
【００１２】
したがって、この発明では、抽選の機会が複数あることから、パチンコ玉の振る舞いを複雑なものとすることができ、面白みのあるパチンコ遊戯装置を提供できる。
【００１３】
さらにこの発明の他の形態は、前記第１の抽選手段は、受入口からつづら折り状に形成したスロープと、前記スロープの折り曲がり部分の一方に設けたゲートとからなり、前記ゲートで跳ね返ったパチンコ玉を当選パチンコ玉とする構成とし、第２の抽選手段は、複数の穴を設けたクルーンからなり、前記第１の抽選手段から導かれたパチンコ玉をクルーン上に受入れて前記複数の穴のうちの所定の穴に落下したパチンコ玉のみを当選パチンコ玉として始動入賞口に導く構成としたことを特徴とするものである。したがって、スロープ上を移動しゲートにおいてパチンコ玉が抽選され、このゲートにおいて当選したパチンコ玉のみクルーン上に移動でき、さらにクルーン上でパチンコ玉の抽選を行うことにより、複数の抽選機会を与えて全体に面白みのあるパチンコ遊戯装置を提供することができる。
【００１４】
上記目的を達成するために、さらに他の本発明では、通過ゲート、始動入賞口、大入賞口、一般入賞口及び入賞装置等の盤面構成部品を遊戯盤の表面に装着してなるパチンコ遊戯装置において、前記入賞装置は、パチンコ玉受入口から落下したパチンコ玉を所定の方向に反発させる反発手段と、前記反発手段から所定の高さ位置に配置された受体と、前記反発手段の周囲に配置された邪魔体とを備え、前記受体に入った反発パチンコ玉を始動入賞口に導くとともに、前記受体に入らなかった反発パチンコ玉を邪魔体間を通して盤面上に導くように構成したことを特徴とする。
【００１５】
したがって、この発明では、パチンコ玉受入口から落下したパチンコ玉が受体に入れば始動入賞口に導かれ、これ以外ではパチンコ玉は邪魔体のある板面を転動するので、面白みのあるパチンコ遊戯装置を提供できる。
【００１６】
本発明の他の形態では、前記受体はバスケットゲームのバスケットに疑似させてなり、かつ、邪魔体はバスケットゲームの選手に疑似させてなることを特徴とする。これにより、遊戯者はパチンコ遊戯装置でバスケットゲームに疑似したゲームを楽しむことができる。
【００１７】
上記目的を達成するために、本発明の他の例は、通過ゲート、始動入賞口、大入賞口、一般入賞口及び入賞装置等の盤面構成部品を遊戯盤の表面に装着してなるパチンコ遊戯装置において、前記入賞装置は、所定の位置に配置した穴を設けた板体を傾斜させて配置し、前記板体の下部に前記板体の穴に落下したパチンコ玉を始動入賞口に導く構造体を上記板体と同様に傾斜させて配置してなり、受入口から受け入れたパチンコ玉を前記板体上に導くように構成したことを特徴とする。
【００１８】
したがって、この発明では、パチンコ玉受入口から入ったパチンコ玉が板体上を転動し当該板体の穴に入れば始動入賞口に導かれ、これ以外ではパチンコ玉が板体上を転動するので、面白みのあるパチンコ遊戯装置を提供できる。
【００１９】
さらに本発明の他の形態では、前記入賞装置は、前記板体の穴に落下しなかったパチンコ玉もパチンコ玉の速度条件によって始動入賞口に導く経路を設けたことを特徴とする。これにより、場合によっては、始動入賞口に入るパチンコ玉があるという期待を持たせることができる。
【００２０】
上記目的を達成するために、本発明の他の例は、通過ゲート、始動入賞口、大入賞口、一般入賞口及び入賞装置等の盤面構成部品を遊戯盤の表面に装着してなるパチンコ遊戯装置において、前記入賞装置は、所定の位置に配置された穴を有するクルーンと、前記穴に入ったパチンコ玉を検出するセンサーと、当該クルーンの下部に配置された複数種の通路を形成できる通路形成部品と、これら通路形成部品を所定の通路形パターン信号で駆動制御する駆動手段と、前記センサーからの信号を基に前記穴に所定の配列でパチンコ玉が落下したときに所定の通路形パターン信号を形成して前記駆動手段に与える制御手段とを備えたことを特徴とする。
【００２１】
したがって、この発明では、パチンコ玉受入口から入ったパチンコ玉がクルーン上を転動し当該クルーンの穴に所定の列で入れば、通路形成部品によって所定の通路を形成させて確実にパチンコ玉を始動入賞口に導き、これ以外ではパチンコ玉の転動を制限するので、面白みのあるパチンコ遊戯装置を提供できる。
【００２２】
さらに他の本発明は、前記通路形成部品が、固定された固定釘列と、複数種の所定の形状に組み合わせて昇降動自在に配設してなる移動釘列とを備え、これら移動釘列を所定の通路形成パターン信号で昇降動させるとともに、固定釘列とを組み合わせることにより複数種の通路を形成できるようにしたことを特徴とする。前記通路形成部品を複数種の所定の形状に組み合わせた釘列を昇降動自在に配設して構成したので、パチンコ玉が穴を落下して所定の穴列になると、所定時間前記釘列が始動入賞口にパチンコ玉を導く形状にされる。
【００２３】
さらに他の発明では、前記制御手段は、前記センサーからの信号を基に前記穴に所定の配列でかつ所定の時間内にパチンコ玉が落下したと判定したときに、パチンコ玉を始動入賞口に導くような通路形成パターン信号を作成し、この信号を前記駆動手段に与えるようにしたことを特徴とする。所定の列に並んだことが制御手段により判定されると、確実に始動入賞口に導くような通路形成パターン信号が形成されることになる。
【００２４】
本発明の他の形態では、前記入賞装置は、前記遊戯盤の中央部に配置してなることを特徴とする。これにより、遊戯者が入賞装置を見易くなる。
【発明の効果】
【００２５】
本発明によれば、入賞装置によってパチンコ玉が各種の振る舞いをするように構成されているので、入賞装置内でのパチンコ玉の移動状態を楽しむことができる。
【発明を実施するための最良の形態】
【００２６】
以下、本発明の実施の形態について図面を参照して説明する。
【００２７】
＜第１の実施の形態＞
図１ないし図１１は本発明の第１の実施の形態を説明するための図である。ここで、図１は、本発明の第１の実施の形態におけるパチンコ遊戯装置の概略を示す斜視図である。図２は、同第１の実施の形態を示す斜視図である。図３は、同第１の実施の形態の通路部を拡大して示す斜視図である。
【００２８】
これらの図において、パチンコ遊戯装置１は、遊戯盤２、ガラス面３及び側板４等で立方体形状に構成されており、ガラス面３の下側中央にパチンコ玉貯留皿５、この皿５の下画側に出玉受皿６、この出玉受皿６の右側に打球発射装置のノブ７を備えた構造をしている。
【００２９】
このパチンコ遊戯装置１の遊戯盤２の表面には、各種の形状に配列した釘列８，８…と、一般入賞口９，９…と、入賞装置１０と、始動入賞口１１とが装着されている。
【００３０】
前記入賞装置１０は、パチンコ遊戯装置１のほぼ中央部に配置されている。この入賞装置１０は、図２に示すように、複数種の通路１２を形成する通路形成部品１３を設けた盤面ＳＧを備えており、これら通路形成部品１３を所定の通路形パターン信号で駆動して昇降動させることにより、複数種の通路１２を形成している。
【００３１】
この実施の形態では、前記通路形成部品１３は、第１の立体１３ａと、その両脇に配置された三角形状の第２の立体１３ｂ，１３ｂと、さらにそれら両脇に配置された円弧状の第３の立体１３ｃ，１３ｃとを備え、次のように構成されている。すなわち、第１の立体１３ａは図２及び図３に示すような形状をしており、昇降動自在に配置されている。前記第２の立体１３ｂ，１３ｂは、図２及び図３に示すような略三角形状をしており、昇降動自在に配設されている。また、第３の立体１３ｃ，１３ｃは、図２及び図３に示すような略円弧状をしており、昇降動自在に配設されている。
【００３２】
また、これら立体１３ａ，１３ｂ，１３ｃは各々駆動手段１４ａ，１４ｂ，１４ｃに機械的に連結されている。これら立体１３ａ，１３ｂ，１３ｃは、前記各駆動手段１４ａ，１４ｂ，１４ｃに通路形パターン信号が供給されることにより、昇降動させられるようになっている。
【００３３】
また、入賞装置１０の盤面ＳＧには、玉受入口２０から進入してきたパチンコ玉ＰＴを通路１２に導く通路２１が円弧状に形成されている。
【００３４】
図４は、同第１の実施の形態の制御系を示すブロック図である。この図において、前記駆動手段１４ａ，１４ｂ，１４ｃは、制御手段１５に電気的に接続されている。制御手段１５には、遊戯盤２に設けた各種センサー１６，１６，…が電気的に接続されている。また、制御手段１５には、駆動手段１４ａ，１４ｂ，１４ｃの動きを検出するセンサー１６ｆ，１６ｒ、１７ｆ，１７ｒ、１８ｆ，１８ｒが電気的に接続されている。センサー１６ｆ，１６ｒは、例えば磁気センサーで構成すればよく、この駆動手段１４ａの軸に永久磁石Ｍを固定し、永久磁石Ｍとセンサー１６ｆ，１６ｒとの位置によって第１の立体１３ａの上昇位置、下降位置を検出するものである。なお、センサー１７ｆ，１７ｒ及び１８ｆ，１８ｒも、駆動手段１４ｂ及び１４ｃの永久磁石Ｍの位置に応じて第２、第３の立体１３ｂ及び１３ｃの上昇位置、下降位置を検出するものである。
【００３５】
また、制御手段１５は、各種演算処理を行うＣＰＵと、作業用のメモリ領域を提供するＲＡＭと、当該パチンコ遊戯装置１を動作させるプログラムを記憶しているＲＯＭと、各種外部機器との信号のやりとりを行う入出力ポートとを備えたコンピュータ装置によって構成すればよい。
【００３６】
このような入賞装置１０を備えたパチンコ遊戯装置１の作用を説明する。ここで、図５は、同第１の実施の形態の動作を説明するためのフローチャートである。図６ないし図１１は、各種通路が形成された状態を説明するための図である。
【００３７】
パチンコ遊戯装置１の電源が投入されると、まず、駆動手段１４ａ，１４ｂ，１４ｃは初期位置、すなわち全て下降した位置に移動させられるとともに、制御手段１５は初期状態になる。
【００３８】
ついで、制御手段１５は、一定時間毎に、図５に示すフローチャートを処理する。なお、制御手段１５は、この図５のフローチャートを処理していなときには、パチンコ遊戯装置１の他の処理プログラムを実行している。
【００３９】
そして、制御手段１５は、図５のフローチャートを実行すると、まず、パチンコ遊戯装置１の条件をセンサー１６，…等からの検出信号を基に取り込む（Ｓ１０１）。そして、制御手段１５は、この条件を基に所定の演算式をもって演算処理を実行する（Ｓ１０２）。その演算結果は、この実施の形態の場合には、６種類のパターンの何れかになるようになっている。
【００４０】
ついで、制御手段１５は、その演算結果が通路形成パターンＡであると判定したときには（Ｓ１０３；ＹＥＳ）、第１の立体１３ａのみを上昇させて他の立体１３ｂ，１３ｃは下降させる通路形成パターン信号Ｓａを駆動手段１４ａ，１４ｂ，１４ｃに出力し（Ｓ１０４）、フローを抜ける。これにより、各駆動手段１４ａ〜１４ｃはそれぞれ駆動されることになり、第１の立体１３ａを上昇させ、他の立体１３ｂ，１３ｃを下降させる。なお、第１の立体１３ａが上昇したか否か及び第２、第３の立体１３ｂ，１３ｃが下降しているか否かは、制御手段１５がセンサー１６ｆ及びセンサー１７ｒ，１８ｒからの検出信号により確認することができる。これにより、図６に示すように、第１の立体１３ａのみが上昇し、第２、第３の立体３ｂ，１３ｃが下降して通路形成パターンＡによる通路１２ａが形成されることになる。
【００４１】
そして、玉受入口２０から入ったパチンコ玉ＰＴは、通路２１を通って上述したように形成された通路１２ａを通って下の遊戯盤２の釘列８，８…に導かれる。なお、以下では、通路１２の形成過程のみ説明し、パチンコ玉の動きについての説明は、始動入賞口１１に導かれる場合以外は省略する。
【００４２】
次に、制御手段１５は、その演算結果が通路形成パターンＢであると判定したときには（Ｓ１０５；ＹＥＳ）、第２の立体１３ｂ，１３ｂのみを上昇させ他の立体１３ａ，１３ｃは下降させる通路形成パターン信号Ｓｂを駆動手段１４ａ〜１４ｃに出力し（Ｓ１０６）、フローを抜ける。これにより、駆動手段１４ｂは、第２の立体１３ｂ，１３ｂを上昇させ、また、駆動手段１４ａ，１４ｃは他の第１の立体１３ａ、第３の立体１３ｃ，１３ｃを下降させる。なお、第２の立体１３ｂが上昇したか否か及び第１、第３の立体１３ａ，１３ｃが下降しているか否かは、制御手段１５がセンサー１７ｆ及びセンサー１６ｒ、１８ｒからの検出信号により確認することができる。これにより、図７に示すように、第２の立体１３ｂのみが上昇し、第１、第２の立体１３ａ，１３ｂが下降した通路形成パターンＢによる通路１２ｂが形成されることになる。
【００４３】
さらに、制御手段１５は、その演算結果が通路形成パターンＣであると判定したときには（Ｓ１０７；ＹＥＳ）、第３の立体１３ｃ，１３ｃのみを上昇させ他の立体１３ａ，１３ｂを下降させる通路形成パターン信号Ｓｃを駆動手段１４ａ〜１４ｃに出力し（Ｓ１０８）、フローを抜ける。これにより、駆動手段１４ｃは、第３の立体１３ｃ，１３ｃを上昇させ、他の立体１３ａ，１３ｃは下降させる。なお、立体１３ｃが上昇したか否か及び他の立体１３ａ，１３ｂが下降しているか否かは、制御手段１５がセンサー１８ｆ及びセンサー１６ｒ、１７ｒからの検出信号により確認することができる。これにより、図８に示すように、第３の立体１３ｃのみが上昇し、第１、第２の立体１３ａ，１３ｂが下降した通路形成パターンＣによる通路１２ｃが形成されることになる。
【００４４】
また、制御手段１５は、その演算結果が通路形成パターンＤであると判定したときには（Ｓ１０９；ＹＥＳ）、第１の立体１３ａと第２の立体１３ｂ，１３ｂとを上昇させ第３の立体１３ｃを下降させる通路形成パターン信号Ｓｄを駆動手段１４ａ〜１４ｃに出力し（Ｓ１１０）、フローを抜ける。これにより、駆動手段１４ａ，１４ｂは、第１の立体１３ａ及び第２の立体１３ｂ，１３ｂを上昇させる。なお、第１の立体１３ａ，第２の立体１３ｂが上昇したか否か及び他の第３の立体１３ｃが下降しているか否かは、制御手段１５がセンサー１６ｆ，１７ｆ及びセンサー１８ｒからの検出信号により確認することができる。これにより、図９に示すように、第１の立体１３ａ及び第２の立体１３ｂ，１３ｂが上昇し、第３の立体１３ｃが下降した通路形成パターンＤによる通路１２ｄが形成されることになる。
【００４５】
さらにまた、制御手段１５は、その演算結果が通路形成パターンＥであると判定したときには（Ｓ１１１；ＹＥＳ）、第２の立体１３ｂ，１３ｂ及び第３の立体１３ｃ，１３ｃを上昇させ第１の立体１３ａを下降させる通路形成パターン信号Ｓｅを駆動手段１４ａ〜１４ｃに出力し（Ｓ１１２）、フローを抜ける。これにより、駆動手段１４ｂ，１４ｃは、第２の立体１３ｂ，１３ｂ及び第３の立体１３ｃ，１３ｃを上昇させ、かつ、第１の立体１３ａを下降させる。なお、第２の立体１３ｂ及び第３の立体１３ｃが上昇したか否か及び他の第１の立体１３ａが下降しているか否かは、制御手段１５がセンサー１７ｆ，１８ｆ及びセンサー１６ｒからの検出信号により確認することができる。これにより、図１０に示すように、第２の立体１３ｂ，１３ｂ及び第３の立体１３ｃ，１３ｃが上昇し、第１の立体１３ａが下降した通路形成パターンＥによる通路１２ｅが形成されることになる。
【００４６】
この場合には、玉受入口２０から入ったパチンコ玉は、通路２１を通った後に、通路１２ｅを通って始動入賞口１１に確実に導かれる。
【００４７】
なお、制御手段１５は、その演算結果が通路形成パターンＦであると判定したときには（Ｓ１１１；ＮＯ）、全ての立体１３ａ，１３ｂ，１３ｃを下降させる通路形成パターン信号Ｓｆを駆動手段１４ａ〜１４ｃに出力し（Ｓ１１３）、フローを抜ける。これにより、駆動手段１４ａ，１４ｂ，１４ｃは、第１の立体１３ａ，第２の立体１３ｂ，第３の立体１３ｃの全てを下降させる。なお、全ての立体１３ａ，１３ｂ，１３ｃが下降したか否かは、制御手段１５がセンサー１６ｒ、１７ｒ、１８ｒからの検出信号により確認することができる。これにより、立体１３ａ，１３ｂ，１３ｃは、図１１に示すように、全て下降した状態になり、扇状に広がる通路１２ｆが形成されることになる。
【００４８】
以上説明したように第１の実施の形態では、通路形成パターン信号Ｓａ〜Ｓｆにより、通路形成部品１３が複数種の通路１２ａ〜１２ｆを形成するので、パチンコ玉が始動入賞口１１に導かれるが否かが明確に分かり、入賞装置１０内でのパチンコ玉の振る舞いに興味がわくことになる。
【００４９】
また、複数種の所定の形状をした立体１３ａ，１３ｂ，１３ｃを昇降動自在に配設し、これら立体１３ａ，１３ｂ，１３ｃの昇降動を所定の通路形成パターン信号Ｓａ〜Ｓｆで昇降動させることにより複数種の通路１２ａ〜１２ｆを形成できるようにし、第１の立体１３ａ，第２の立体１３ｂ，及び第３の立体１３ｃが上昇したり下降したりして複数種類の形状をした通路１２ａ〜１２ｆを形成するため、パチンコ玉の振る舞いが明確となる。
【００５０】
＜第２の実施の形態＞
図１２ないし図１７は本発明の第２の実施の形態を説明するための図である。ここに、図１２は、同第２の実施の形態における入賞装置の一構成例を示す斜視図である。これらの図に示す第２の実施の形態においても、第１の実施の形態と同一部材には同一符号を付して説明を省略する。
【００５１】
この第２の実施の形態では、入賞装置１０Ａは、通路形成部品２３、ステージ２４、表示器２５、その他の構成部品を備え、次のように構成されている。すなわち、ステージ２４は、玉受入口２０から受け入れたパチンコ玉ＰＴを図示横方向に転動させるとともに、図示手前側に転動させるようになっている。このステージ２４の図示手前には、通路形成部品２３を設けた領域２６が設けられている。この通路形成部品２３は、複数種の所定の形状に組み合わせた釘列２３ａ，２３ｂ，２３ｃを昇降動自在に配設し、これら釘列の昇降動を所定の通路形成パターン信号で昇降動させることにより複数種の通路パターン２２を形成できるようにしたものである。
【００５２】
図１３は、同第２の実施の形態における制御部の構成を示す図である。この図において、第２の実施の形態が第１の実施の形態と異なるところは、第１の立体１３ａ，第２の立体１３ｂ，第３の立体１３ｃに代えて、所定の形状に組み合わせた釘列２３ａ，２３ｂ，２３ｃを駆動手段１４ａ，１４ｂ，１４ｃによって昇降動させるようにした点にあり、他の構成には相違がない。したがって、第２の実施の形態を構成する部品と、第１の実施の形態の部品が同一の場合には、同一の符号を付して説明を省略する。
【００５３】
このような第２の実施の形態によれば、玉受入口２０から入賞装置１０の内部に入ったパチンコ玉ＰＴは、盤面２４上に転動して所定の通路形状パターンにされた釘列２３ａ，２３ｂ，２３ｃを設けた領域２６を通過して始動入賞口１１や他の釘列８，８…に導かれることになる。
【００５４】
なお、第２の実施の形態では、釘列２３ａ，２３ｂ，２３ｃの上昇・下降させる通路形成パターンは４種類あり、その通路形成パターン信号により通路２２ａ〜２２ｄまで形成されることになる。
【００５５】
すなわち、図１４では、釘列２３ａ，２３ｂ，２３ｃが全て上昇し、通路パターン２２ａが形成されており、パチンコ玉（図示せず）は各釘列２３ａ，２３ｂ，２３ｃにぶつかりパチンコ玉の滞留時間が長くなり、かつ、パチンコ玉は矢印の方向に転動して始動入賞口１１に入る確率が低くなる。
【００５６】
また、図１５では、釘列２３ａのみが上昇し、他の釘列２３ｂ，２３ｃが下降することにより、通路パターン２２ｂが形成されることになり、パチンコ玉は矢印の方向に転動して始動入賞口１１に入る確率が低くなる。
【００５７】
さらに、図１６では、釘列２３ｂのみが上昇し、他の釘列２３ａ，２３ｃが下降し、通路パターン２２ｃが形成されており、パチンコ玉は矢印の方向に転動し中央部付近から出てゆくため始動入賞口１１に導かれる確率が高くなる。
【００５８】
加えて、図１７では、全ての釘列２３ａ，２３ｂ，２３ｃが下降しており、通路パターン２２ｄが形成されており、パチンコ玉は矢印の方向に転動して始動入賞口１１に入るパチンコ玉も多くなるが、入らないパチンコ玉も多くなる。
【００５９】
このような第２の実施の形態によれば、複数種の所定の形状に組み合わせた釘列２３ａ，２３ｂ，２３ｃを昇降動自在に配設し、これら釘列２３ａ，２３ｂ，２３ｃの昇降動を所定の通路形成パターン信号で昇降動させることにより複数種の通路パターン２２ａ〜２２ｄを形成できるようにしたので、パチンコ玉の行方がある程度明確となり、しかも、予測できないパチンコ玉の動きも提供することができる。
【００６０】
＜第３の実施の形態＞
図１８ないし図２１は本発明の第３の実施の形態を説明するための図である。ここに、図１８は、同第３の実施の形態における入賞装置の要部の構成例を示す斜視図である。図１９は、同第３の実施の形態における入賞装置の構成例を示す斜視図である。図２０は、同第３の実施の形態におけるスロープの構成例を示す斜視図である。図２１は、同第３の実施の形態におけるゲートの構成例を示す図である。この第３の実施の形態においても、第１の実施の形態と同一要素には同一符号を付して説明を省略する。
【００６１】
この第３の実施の形態における入賞装置１０Ｂは、受入れたパチンコ玉を抽選して当選したパチンコ玉のみを下流に導く第１の抽選手段２８と、第１の抽選手段２８で当選したパチンコ玉をさらに抽選して当選したパチンコ玉を始動入賞口１１に導く第２の抽選手段２９とから構成されている。
【００６２】
ここで、前記第１の抽選手段２８は、玉受入口２０からつづら折り状に形成したスロープ３０と、前記スロープ３０の折り曲がり部分の一方に設けたゲート３１と、前記スロープ３０の折り曲がり部分の他方に設けた壁面３２とを配置してなり、前記ゲート３１で跳ね返ったパチンコ玉ＰＴを当選玉として、さらに下降させるようにな構成となっている。また、ゲート３１で跳ね返らないパチンコ玉は、遊戯盤２の裏面側に構成された通路３３を通って外れ領域３４に導かれるようになっている。
【００６３】
ここで、スロープ３０は、図２０に示すように、その中央部に溝３５が形成されており、この溝３５内をパチンコ玉ＰＴが通るようになっている。
【００６４】
また、ゲート３１は、図２１（ａ）に示すように図示上端部で回動可能にされた扉３６で構成するか、あるいは、図２１（ｂ）に示すようにモーターで上下動する扉３７で構成してもよい。
【００６５】
なお、上記第１の抽選手段２８は、図示左右両方に配置されている。
【００６６】
また、第２の抽選手段２９は、複数の穴３８を設けた円形状のクルーン３９からなり、前記第１の抽選手段２８から導かれたパチンコ玉をクルーン３９上に受入れて前記複数の穴３８のうちの所定の穴３８に落下したパチンコ玉のみを当選パチンコ玉として始動入賞口１１に導く通路４０を設けたものである。また、他の穴３８に落下したパチンコ玉は、抽選に落選したパチンコ玉として外れ領域３４に落ちるようになっている。
【００６７】
このような第３の実施の形態の作用を説明すると、パチンコ玉が玉受入口２０を通って入賞装置１０Ｂ内に入る。
【００６８】
すると、このパチンコ玉は、つづら折りのスロープ３０を下ってゆき、壁３２に衝突後、再びスロープ３０を下ってゆき、上側のゲート３１に衝突する。このとき、パチンコ玉ＰＴの勢いが小さくて、上側のゲート３１ではパチンコ玉ＰＴを反発させる。そして、さらに、パチンコ玉ＰＴがスロープ３０を下ってゆき、下側のゲート３１に衝突する。このとき、パチンコ玉ＰＴの勢いが大きければ、このゲート３１を押して通路３３に入り、抽選に落選したことになる。
【００６９】
一方、このゲート３１においてもパチンコ玉ＰＴが反発されると、パチンコ玉ＰＴは抽選に当選したことになり、第２の抽選手段２９のクルーン３９の上に転動することになる。
【００７０】
ここで、クルーン３９の所定の穴３８の所定の穴３８にパチンコ玉ＰＴが落下すれば、抽選に当選したことになり、パチンコ玉は通路４０を通って始動入賞口１１に導かれる。
【００７１】
また、クルーン３９の他の穴３８にパチンコ玉ＰＴが落下した場合には、当該パチンコ玉ＰＴは外れ領域３４に導かれ、抽選に落選したことになる。
【００７２】
このような第３の実施の形態によれば、パチンコ玉ＰＴがスロープ３０上を移動し、このパチンコ玉ＰＴがゲート３１で反発されるか通過するかしてパチンコ玉ＰＴが抽選され、このゲート３１において反発（当選）したパチンコ玉ＰＴのみがクルーン３９上に移動でき、さらにクルーン３９上で複数の穴３８のうち所定の穴３８から落下するか否かでパチンコ玉ＰＴの抽選を行うようにしてあるので、複数の抽選機会が与えられて全体に面白みのあるパチンコ遊戯装置を得ることができる。
【００７３】
＜第４の実施の形態＞
図２２及び図２３は同第４の実施の形態を説明するための図である。図２２は同第４の実施の形態を説明するための図である。この図２２に示す第４の実施の形態においても、第１の実施の形態と同一構成要素には、同一符号を付して説明を省略する。
【００７４】
この図２２において、前記入賞装置１０Ｃは、所定の位置に配置された玉受入口２０ａから落下したパチンコ玉を所定の方向に反発させる反発手段４１と、前記反発手段４１から所定の高さ位置に配置された受体４２と、前記反発手段４１の周囲に配置された邪魔体４３とを備え、前記受体４２に入った反発されたパチンコ玉を始動入賞口１１に導くとともに、前記受体４２に入らなかった反発パチンコ玉を邪魔体４３間を通して遊戯盤２に導くように構成している。
【００７５】
ここで、前記受体４２はバスケットゲームのバスケット４２ａに疑似させてなり、かつ、邪魔体４３はバスケットゲームの選手４３ａに疑似させてなる。
【００７６】
このような第４の実施の形態の作用を図２２及び図２３を参照して説明する。図２３は、第４の実施の形態の作用を説明するための図である。
【００７７】
パチンコ玉は、玉受入口２０ａから垂直に落下する（Ｓ５１）。この落下したパチンコ玉は、反発手段４１で奥側に向かって反発される（Ｓ５２）。そして、この反発されたパチンコ玉がパスケット４１ａに入れば（Ｓ５３）、このパチンコ玉は所定の通路を介して出口４４に導かれた後に、始動入賞口１１に導かれることになる（Ｓ５４）。
【００７８】
一方、この反発されたパチンコ玉がバスケット４２ａに入らないときには、パスケットの選手４３ａに邪魔されながら遊戯盤２に落下してゆく（Ｓ５５）。
【００７９】
このような第４の実施によれば、玉受入口２０ａから落下したパチンコ玉が受体４２に入れば始動入賞口１１に導かれ、これ以外のパチンコ玉は邪魔体４３のある板面を転動するので、面白みのあるパチンコ遊戯装置を得ることができる。
【００８０】
＜第５の実施の形態＞
図２４ないし図２８は同第５の実施の形態を説明するための図である。ここで、図２４は同第５の実施の形態を説明するための図である。図２５は同第５の実施の形態を示す右側面図である。図２６は、第５の実施の形態の上層側の構造を示す図である。図２７は、第５の実施の形態の下層の構造を示す図である。これらの図に示す第５の実施の形態においても、第１の実施の形態と同一構成要素には、同一符号を付して説明を省略する。
【００８１】
これら図において、入賞装置１０Ｄは、所定の位置に配置した穴４５を設けた板体４６を傾斜させて配置し、前記板体４６の下部に前記板体４６の穴４５から落下したパチンコ玉を始動入賞口に導く構造体４７を上記板体４６と同様に傾斜させて配置してなり、前記玉受入口２０から受け入れたパチンコ玉を前記板体４６上に導くように構成されている。
【００８２】
この入賞装置１０Ｄには、中央奥に表示器４８が配置されている。この表示器４８の両側に、玉受入口２０がそれぞれ設けられている。
【００８３】
板体４６は、図２５に示すように、傾斜されて配置されている。また、板体４６には、図２６に示すように所定の位置に穴４５がそれぞれ形成されている。また、構造体４７には、パチンコ玉を中央に向かって導くガイド４９，４９が設けられており、これらガイド４９，４９の中央に始動入賞口１１に導く通路５０が構成されている。これらガイド４９，４９の前には、ステージ５１，５１が設けられており、これらステージ５１，５１の前には、土手５２，５２が設けられている。この土手５２，５２は、通路５０より大きく切り開かれている。また、通路５０は、前記ステージ５１，５１より数ミリメートル高くしてある。
【００８４】
この入賞装置１０Ｄは、前記板体の穴に落下しなかったパチンコ玉もパチンコ玉の速度条件によって始動入賞口に導くステージ（経路）５１，５１が設けられている。
【００８５】
このような構造の第５の実施の形態の作用を図２８を参照して説明する。図２８は、第５の実施の形態の作用を説明するための図である。
【００８６】
玉受入口２０から入ってきたパチンコ玉は板体４６の上に導かれて、傾斜した板体４６の上を転動する。このときに、パチンコ玉が穴４５に落下すると、構造体４７内のガイド４９，４９に導かれて通路５０を通って始動入賞口１１に導かれる（経路ｋ）。
【００８７】
一方、玉受入口２０から入ってきたパチンコ玉は板体４６の上に導かれて、傾斜した板体４６の上を穴４５に落下することなく転動してゆき、ステージ５１，５１に落下する。土手５２，５２があるので、パチンコ玉は、経路ｈを通って土手５２，５２のない部分から落下する。
【００８８】
また、前記板体４６の穴４５に落下しなかったパチンコ玉も、パチンコ玉の速度条件によっては通路５０に導かれることがある（経路ｊ）。
【００８９】
このように第５の実施の形態によれば、玉受入口２０から入ったパチンコ玉が板体４６上を転動し当該板体４６の穴４５に入れば始動入賞口１１に導かれ、これ以外ではパチンコ玉が板体４６上を転動するので、面白みのあるパチンコ遊戯装置を得ることができる。
【００９０】
また、第５の実施の形態では、前記板体４６の穴４５に落下しなかったパチンコ玉もその速度条件によって始動入賞口１１に導けるような通路５０を設けたので、場合によっては、始動入賞口１１に入るパチンコ玉があるという期待を持たせることができる。
【００９１】
＜第６の実施の形態＞
図２９ないし図３７は同第６の実施の形態を説明するための図である。ここで、図２９は同第６の実施の形態を説明するための斜視図である。図３０は、同第６の実施の形態を示す平面図である。図３１は、同第６の実施の形態を示す側面図である。図３２は、同第６の実施の形態の内部構造を示す図である。図３３は、同第６の実施の形態の通路形成部品の構成を示す平面図である。図３４（ａ）〜図３４（ｄ）は通路形成部品の移動状態を示す説明図である。この図２９乃至図３４に示す第６の実施の形態においても、第１の実施の形態と同一構成要素には、同一符号を付して説明を省略する。
【００９２】
これらの図において、入賞装置１０Ｅは、所定の位置に配置された穴５５を有するクルーン５６と、前記穴５５に入ったパチンコ玉を検出するセンサー５７と、当該クルーン５６の下部に配置された複数種の通路６２ａ，６２ｂを形成できる通路形成部品５８と、これら通路形成部品５８を所定の通路形パターン信号で駆動制御する駆動手段５９と、前記センサー５７からの信号を基に前記穴５５に所定の配列でパチンコ玉が落下したときに所定の通路形パターン信号を形成して前記駆動手段５９に与える制御手段６０とから構成されている。
【００９３】
また、前記通路形成部品５８は、図３３及び図３４に示すように、所定の形状に組み合わせられて移動しない第１の釘列６１ａと、昇降動できる所定の形状に組み合わせた第２の釘列６１ｂと、昇降動できる所定の形状に組み合わせた第３の釘列６１ｃとからなる。第２の釘列６１ｂと第３の釘列６１ｃは、駆動装置５９ｂと駆動手段５９ｃによって昇降動されるようになっている。
【００９４】
また、通路形成パターン信号によって駆動手段５９ｂが下降駆動され、駆動手段５９ｃが上昇駆動されることにより、図３４（ａ），（ｂ）に示すように、第３の釘列６１ｃが上昇し、第２の釘列６１ｂが下がっている状態になっている。
【００９５】
また、通路形成パターン信号により通路形成パターン信号によって駆動手段５９ｃが下降駆動され、駆動手段５９ｂが上昇駆動されることにより、図３４（ｃ），（ｄ）に示すように、第２の釘列６１ｂが上昇し、第３の釘列６１ｃが下がっている状態になっている。
【００９６】
また、図２９に示すようにクルーン５６の周囲には、溝７０が形成されており、パチンコ玉ＰＴはこの溝７０から図３１に示すようにスロープ７１を通って通路７２に遊戯盤２に導かれるようになっている。
【００９７】
また、クルーン５６の穴５５から落下したパチンコ玉ＰＴは、内部において通路形成部品５８で形成された通路６２ａまたは６２ｂを通って通路７２または通路７３に導かれるようになっている。
【００９８】
また、通路７２及び７３の図示奥側には，回転扉７４，７４，…が設けられており、パチンコ玉ＰＴの通過により回転するようになっている。
【００９９】
この第６の実施の形態の作用を図３５ないし図３７を参照して説明する。なお、図３５及び図３６は、所定の通路を通った状態を示す説明図である。図３７は、同作用を説明するための図である。
【０１００】
まず、玉受入口２０からクルーン５６上にパチンコ玉を導く。そして、パチンコ玉ＰＴが穴５５に入れば、これがセンサー５７で検出される。
【０１０１】
そして、このセンサー５７からの検出信号により、制御手段６０が所定の列で並んだと判定したときに、通路形成パターン信号を形成し、図３６、図３４（ｃ），（ｄ）に示すように、第２の釘列６１ｂが上昇し、第３の釘列６１ｃが下がっている状態にする。
【０１０２】
すると、釘列６１ｃ、６１ａによって通路６２ｂが形成されて、パチンコ玉は、通路６２ａ内を図３６に示す矢印のように転動し、通路７３に導かれて始動入賞口１１に導かれるようになっている。
【０１０３】
一方、このセンサー５７からの検出信号により、制御手段６０が全く関係なく落下したと判定したときに、別な通路形成パターン信号を形成し、図３５、図３４（ａ），（ｂ）に示すように、第３の釘列６１ｃが上昇し、第２の釘列６１ｂが下がっている状態になっている。
【０１０４】
すると、釘列６１ｃ、６１ｂによって通路６２ｂが形成されて、パチンコ玉ＰＴは通路６２ｂ内を図３５に示す矢印のように転動し、ほとんどのパチンコ玉が通路７２に導かれて始動入賞口１１には導かれないようになる。
【０１０５】
このような第６の実施の形態によれば、移動しない釘列６１ａと、昇降動自在の所定の形状に組み合わせた釘列６１ｂ，６１ｃとを備えたので、パチンコ玉が穴を落下して所定の穴列になると、所定時間前記釘列が始動入賞口にパチンコ玉を導く形状にされる。
【０１０６】
なお、制御手段６０は、前記センサー５７からの信号を基に前記穴５５に所定の配列でかつ所定の時間内にパチンコ玉が落下したと判定したときに、パチンコ玉を始動入賞口１１に導くような通路形成パターン信号を作成し、この信号を前記駆動手段５９に与えるようにしている。
【０１０７】
したがって、所定の列に並んだことが制御手段６０により判定されると、制御手段６０は確実に始動入賞口１１に導くような通路形成パターン信号を形成できる。
【０１０８】
また、第６の実施の形態は、パチンコ玉受入口２０から入ったパチンコ玉ＰＴがクルーン５６上を転動し、当該クルーン５６の穴５５に所定の列で入れば、通路形成部品５８によって所定の通路６２ａ，６２ｂを形成させて確実にパチンコ玉を始動入賞口１１に導き、これ以外ではパチンコ玉の転動を制限するので、面白みのあるパチンコ遊戯装置を得ることができる。
【図面の簡単な説明】
【０１０９】
【図１】本発明の第１の実施の形態におけるパチンコ遊戯装置の概略を示す斜視図である。
【図２】同第１の実施の形態を示す斜視図である。
【図３】同第１の実施の形態の通路部を拡大して示す斜視図である。
【図４】同第１の実施の形態の制御系を示すブロック図である。
【図５】同第１の実施の形態の動作を説明するためのフローチャートである。
【図６】同第１の実施の形態のおける通路が形成された状態を説明するための図である。
【図７】同第１の実施の形態のおける通路が形成された状態を説明するための図である。
【図８】同第１の実施の形態のおける通路が形成された状態を説明するための図である。
【図９】同第１の実施の形態のおける通路が形成された状態を説明するための図である。
【図１０】同第１の実施の形態のおける通路が形成された状態を説明するための図である。
【図１１】同第１の実施の形態のおける通路が形成された状態を説明するための図である。
【図１２】同第２の実施の形態における入賞装置の一構成例を示す斜視図である。
【図１３】同第２の実施の形態における制御部の構成を示す図である。
【図１４】同第２の実施の形態のおける通路が形成された状態を説明するための図である。
【図１５】同第２の実施の形態のおける通路が形成された状態を説明するための図である。
【図１６】同第２の実施の形態のおける通路が形成された状態を説明するための図である。
【図１７】同第２の実施の形態のおける通路が形成された状態を説明するための図である。
【図１８】同第３の実施の形態における入賞装置の要部の構成例を示す斜視図である。
【図１９】同第３の実施の形態における入賞装置の一構成例を示す斜視図である。
【図２０】同第３の実施の形態におけるスロープの構成例を示す斜視図である。
【図２１】同第３の実施の形態におけるゲートの構成例を示す図である。
【図２２】同第４の実施の形態を説明するための図である。
【図２３】同第４の実施の形態の作用を説明するための図である。
【図２４】同第５の実施の形態を説明するための図である。
【図２５】同第５の実施の形態を示す右側面図である。
【図２６】同第５の実施の形態の上層側の構造を示す図である。
【図２７】同第５の実施の形態の下層の構造を示す図である。
【図２８】同第５の実施の形態の作用を説明するための図である。
【図２９】同第６の実施の形態に外観を示す斜視図である。
【図３０】同第６の実施の形態を示す平面図である。
【図３１】同第６の実施の形態を示す側面図である。
【図３２】同第６の実施の形態の内部構造を示す図である。
【図３３】同第６の実施の形態の通路形成部品の構成を示す平面図である。
【図３４】同第６の実施の形態における通路形成部品の移動状態を示す説明図であって、図（ａ）、（ｂ）は第３の釘列が上がり、第２の釘列が下がった状態の平面図、側面図であり、図（ｃ）、（ｄ）は第２の釘列が上がり、第３の釘列が下がった状態の平面図、側面図である。
【図３５】同第６の実施の形態における通常の釘列の状態を示す図である。
【図３６】同第６の実施の形態におけるタイムチャンス時の釘列の状態を示す図である。
【図３７】同第６の実施の形態におけるパチンコ玉の転動状態を示す説明図である。
【符号の説明】
【０１１０】
１……パチンコ遊戯装置、２……遊戯盤、３……ガラス面、４……側板、５……パチンコ玉貯留皿、６……出玉受皿、７……打球発射装置、１０，１０Ａ，１０Ｂ，１０Ｃ，１０Ｄ，１０Ｅ……入賞装置、１３……通路形成部品、１３ａ，１３ｂ，１３ｃ……立体、１４ａ，１４ｂ，１４ｃ，５９……駆動手段、１５，６０……制御手段、１６，１６ｆ，１６ｒ、１７ｆ，１７ｒ、１８ｆ，１８ｒ……センサー、２０……玉受入口、２８……第１の抽選手段、２９……第２の抽選手段、３０……スロープ、３１……ゲート、３８，４５，５５……穴、３９，５６……クルーン、４６……板体。
【図１】
2008284406.tif 000003
【図２】
2008284406.tif 000004
【図３】
2008284406.tif 000005
【図４】
2008284406.tif 000006
【図５】
2008284406.tif 000007
【図６】
2008284406.tif 000008
【図７】
2008284406.tif 000009
【図８】
2008284406.tif 000010
【図９】
2008284406.tif 000011
【図１０】
2008284406.tif 000012
【図１１】
2008284406.tif 000013
【図１２】
2008284406.tif 000014
【図１３】
2008284406.tif 000015
【図１４】
2008284406.tif 000016
【図１５】
2008284406.tif 000017
【図１６】
2008284406.tif 000018
【図１７】
2008284406.tif 000019
【図１８】
2008284406.tif 000020
【図１９】
2008284406.tif 000021
【図２０】
2008284406.tif 000022
【図２１】
2008284406.tif 000023
【図２２】
2008284406.tif 000024
【図２３】
2008284406.tif 000025
【図２４】
2008284406.tif 000026
【図２５】
2008284406.tif 000027
【図２６】
2008284406.tif 000028
【図２７】
2008284406.tif 000029
【図２８】
2008284406.tif 000030
【図２９】
2008284406.tif 000031
【図３０】
2008284406.tif 000032
【図３１】
2008284406.tif 000033
【図３２】
2008284406.tif 000034
【図３３】
2008284406.tif 000035
【図３４】
2008284406.tif 000036
【図３５】
2008284406.tif 000037
【図３６】
2008284406.tif 000038
【図３７】
2008284406.tif 000039
【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
通過ゲート、始動入賞口、大入賞口、一般入賞口及び入賞装置等の盤面構成部品を遊戯盤の表面に装着してなるパチンコ遊戯装置において、
前記入賞装置は、受入れたパチンコ玉を抽選して当選したパチンコ玉のみを下流に導く第１の抽選手段と、第１の抽選手段で当選したパチンコ玉をさらに抽選して当選したパチンコ玉を始動入賞口に導く第２の抽選手段とを備えた
ことを特徴とするパチンコ遊戯装置。
【請求項２】
前記第１の抽選手段は、受入口からつづら折り状に形成したスロープと、前記スロープの折り曲がり部分の一方に設けたゲートとからなり、前記ゲートで跳ね返ったパチンコ玉を当選パチンコ玉とする構成とし、
第２の抽選手段は、複数の穴を設けたクルーンからなり、前記第１の抽選手段から導かれたパチンコ玉をクルーン上に受入れて前記複数の穴のうちの所定の穴に落下したパチンコ玉のみを当選パチンコ玉として始動入賞口に導く構成とした
ことを特徴とする請求項１記載のパチンコ遊戯装置。
【請求項３】
通過ゲート、始動入賞口、大入賞口、一般入賞口及び入賞装置等の盤面構成部品を遊戯盤の表面に装着してなるパチンコ遊戯装置において、
前記入賞装置は、パチンコ玉受入口から落下したパチンコ玉を所定の方向に反発させる反発手段と、前記反発手段から所定の高さ位置に配置された受体と、前記反発手段の周囲に配置された邪魔体とを備え、前記受体に入った反発パチンコ玉を始動入賞口に導くとともに、前記受体に入らなかった反発パチンコ玉を邪魔体間を通して盤面上に導くように構成した
ことを特徴とするパチンコ遊戯装置。
【請求項４】
前記受体はバスケットゲームのバスケットに疑似させてなり、かつ、邪魔体はバスケットゲームの選手に疑似させてなる
ことを特徴とする請求項３記載のパチンコ遊戯装置。
【請求項５】
通過ゲート、始動入賞口、大入賞口、一般入賞口及び入賞装置等の盤面構成部品を遊戯盤の表面に装着してなるパチンコ遊戯装置において、
前記入賞装置は、所定の位置に配置した穴を設けた板体を傾斜させて配置し、前記板体の下部に前記板体の穴に落下したパチンコ玉を始動入賞口に導く構造体を上記板体と同様に傾斜させて配置してなり、受入口から受け入れたパチンコ玉を前記板体上に導くように構成した
ことを特徴とするパチンコ遊戯装置。
【請求項６】
前記入賞装置は、前記板体の穴に落下しなかったパチンコ玉もパチンコ玉の速度条件によって入賞口に導く通路を設けた
ことを特徴とする請求項５記載のパチンコ遊戯装置。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
上記目的を達成するために本発明は、通過ゲート、始動入賞口、大入賞口、一般入賞口及び入賞装置等の盤面構成部品を遊戯盤の表面に装着してなるパチンコ遊戯装置において、
前記入賞装置は、受入れたパチンコ玉を抽選して当選したパチンコ玉のみを下流に導く第１の抽選手段と、第１の抽選手段で当選したパチンコ玉をさらに抽選して当選したパチンコ玉を始動入賞口に導く第２の抽選手段とを備えたことを特徴とするものである。
ことを特徴とする
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】削除
【補正の内容】
【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】